(57)【特許請求の範囲】
【請求項１】
表示デバイスを備えた無線装置において、
前記表示デバイスの近傍に配置されるアンテナと、当該アンテナにケーブルを介して接続された無線モジュールとを含み、ネットワークとの無線通信が可能な無線システムと、
前記無線システムに、前記表示デバイスをＯＮさせた状態とＯＦＦさせた状態について、ノイズレベルを所定の周波数帯域で測定させ、測定した両者のノイズレベルの差分に基づいて、前記無線システムの故障を判定する故障診断手段と、
を備え、
前記無線システムの故障は、前記ケーブルの断線又は未接続を原因として含む前記アンテナで信号の送受信ができない場合であり、
前記表示デバイスをＯＮさせた状態ではノイズの発生し易い表示を行い、
前記ノイズの発生し易い表示は、縦の白黒ストライプの表示または画面輝度を最大にした表示であることを特徴とする無線装置。 
【請求項２】
前記故障診断手段は、前記測定した両者のノイズレベルの差分が閾値以上の場合に、前記無線システムの故障でないと判定し、前記測定した両者のノイズレベルの差分が閾値未満の場合に、前記無線システムの故障と判定することを特徴とする請求項１に記載の無線装置。 
【請求項３】
前記故障診断手段は、前記測定した両者のノイズレベルの差分が閾値未満の場合には、さらに、前記無線システムに、前記所定の周波数帯域の異なる周波数および／または前記所定の周波数帯域と異なる周波数帯域で、前記表示デバイスをＯＮさせた状態とＯＦＦさせた状態についてノイズレベルを測定させ、当該測定した両者のノイズレベルの差分が閾値以上の場合に、前記無線システムの故障でないと判定し、当該測定した両者のノイズレベルの差分が閾値未満の場合に、前記無線システムの故障と判定することを特徴とする請求項２に記載の無線装置。 
【請求項４】
表示デバイスと、前記表示デバイスの近傍に配置されるアンテナおよび当該アンテナにケーブルを介して接続された無線モジュールとを含み、ネットワークとの無線通信が可能な無線システムと、を備えた無線装置の故障診断方法において、
前記無線システムが、前記表示デバイスをＯＮさせた状態とＯＦＦさせた状態について、ノイズレベルを所定の周波数帯域で測定する工程と、
前記測定した両者のノイズレベルの差分に基づいて、前記無線システムの故障を判定する工程と、
を含み、
前記無線システムの故障は、前記ケーブルの断線又は未接続を原因として含む前記アンテナで信号の送受信ができない場合であり、
前記表示デバイスをＯＮさせた状態ではノイズの発生し易い表示を行い、
前記ノイズの発生し易い表示は、縦の白黒ストライプの表示または画面輝度を最大にした表示であることを特徴とする無線装置の故障診断方法。 
【請求項５】
表示デバイスと、前記表示デバイスの近傍に配置されるアンテナおよび当該アンテナにケーブルを介して接続された無線モジュールを含み、ネットワークとの無線通信が可能な無線システムと、を備えた無線装置に搭載される故障診断用プログラムにおいて、
前記無線システムが、前記表示デバイスをＯＮさせた状態とＯＦＦさせた状態について、ノイズレベルを所定の周波数帯域で測定する工程と、
前記測定した両者のノイズレベルの差分に基づいて、前記無線システムの故障を判定する工程と、
をコンピュータに実行させ、
前記無線システムの故障は、前記ケーブルの断線又は未接続を原因として含む前記アンテナで信号の送受信ができない場合であり、
前記表示デバイスをＯＮさせた状態ではノイズの発生し易い表示を行い、
前記ノイズの発生し易い表示は、縦の白黒ストライプの表示または画面輝度を最大にした表示であることを特徴とするコンピュータが実行可能な故障診断用プログラム。
【発明の詳細な説明】
【技術分野】
【０００１】
本発明は、無線装置、その故障診断方法、および故障診断用プログラムに関する。
【背景技術】
【０００２】
無線によるデータ通信システムは、パーソナル・コンピュータ（以下、ＰＣという。）やＰＤＡなど、多くの情報処理装置に搭載されている。加えて、無線ＬＡＮ、無線ＷＡＮ、ブルートゥース（登録商標）、ワンセグ（地上波デジタル・テレビ放送の携帯電話・移動体端末向け１セグメント部分受信サービス）、ＵＷＢ（Ultra Wide Band）など、複数の無線通信システムを１台の情報処理装置に搭載したものもある。
【０００３】
情報処理装置に搭載される無線通信システムは、アンテナと無線モジュールを備えている。かかるアンテナは、情報処理装置の筐体に、外部に露出しないように内蔵されるタイプと、ポップアップ・アンテナとして筐体に取り付けられるタイプがある。かかる無線通信システムでは、アンテナと無線モジュールを接続するケーブルの断線・非接続等の故障が発生する場合がある。
【０００４】
無線通信システムの故障を検出する方法として、例えば、アンテナが受信している無線基地局や故障診断用の信号発生器からの信号強度を測定して、無線通信システムの故障を検出することが考えられる。
【０００５】
しかしながら、無線基地局を使用する方法では、無線基地局との距離および電波状態などはユーザの使用環境で皆異なるため、信号強度が弱い場合にそれが無線通信システムの故障のためか、それとも無線基地局からの電波が弱いためかを区別することが困難である。また、故障診断用の信号発生器を使用する方法では、故障診断用の信号発生器が別途必要になるため、ユーザが自宅等で故障診断を行う場合には不便である。
【先行技術文献】
【特許文献】
【０００６】
【特許文献１】特開２００９−１７３３２号公報
【発明の概要】
【発明が解決しようとする課題】
【０００７】
本発明は、上記に鑑みてなされたものであり、他の装置を使用しないで、簡単かつ正確に無線システムの故障を検出することが可能な無線装置、その故障診断方法、および故障診断用プログラムを提供することを目的とする。
【課題を解決するための手段】
【０００８】
上述した課題を解決し、目的を達成するために、本発明は、表示デバイスを備えた無線装置において、前記表示デバイスの近傍に配置されるアンテナと、当該アンテナに接続された無線モジュールとを含み、ネットワークとの無線通信が可能な無線システムと、前記無線システムに、前記表示デバイスをＯＮさせた状態とＯＦＦさせた状態について、ノイズレベルを所定の周波数帯域で測定させ、測定した両者のノイズレベルの差分に基づいて、前記無線システムの故障を判定する故障診断手段と、を備えたことを特徴とする。
【０００９】
また、本発明の好ましい態様によれば、前記故障診断手段は、前記測定した両者のノイズレベルの差分が閾値以上の場合に、前記無線通信システムが正常と判定し、前記測定した両者のノイズレベルの差分が閾値未満の場合に、前記無線通信システムが異常と判定することが望ましい。
【００１０】
また、本発明の好ましい態様によれば、前記表示デバイスをＯＮさせた状態ではノイズを発生し易い表示を行うことが望ましい。
【００１１】
また、本発明の好ましい態様によれば、前記故障診断手段は、前記測定した両者のノイズレベルの差分が閾値未満の場合には、さらに、前記無線システムに、前記所定の周波数帯域の異なる周波数および／または前記所定の周波数帯域と異なる周波数帯域で、前記表示デバイスをＯＮさせた状態とＯＦＦさせた状態についてノイズレベルを測定させ、当該測定した両者のノイズレベルの差分が閾値以上の場合に、前記無線システムが正常と判定し、当該測定した両者のノイズレベルの差分が閾値未満の場合に、前記無線システムが異常と判定することが望ましい。
【００１２】
また、本発明の好ましい態様によれば、前記ノイズを発生し易い表示は、縦の白黒ストライプの表示または画面輝度を最大にした表示であることが望ましい。
【００１３】
上述した課題を解決し、目的を達成するために、本発明は、表示デバイスと、前記表示デバイスの近傍に配置されるアンテナおよび当該アンテナに接続された無線モジュールとを含み、ネットワークとの無線通信が可能な無線システムと、を備えた無線装置の故障診断方法において、前記無線システムが、前記表示デバイスをＯＮさせた状態とＯＦＦさせた状態について、ノイズレベルを所定の周波数帯域で測定する工程と、前記測定した両者のノイズレベルの差分に基づいて、前記無線システムの故障を判定する工程と、を含むことを特徴とする。
【００１４】
上述した課題を解決し、目的を達成するために、本発明は、表示デバイスと、前記表示デバイスの近傍に配置されるアンテナおよび当該アンテナに接続された無線モジュールを含み、ネットワークとの無線通信が可能な無線システムと、を備えた無線装置に搭載される故障診断用プログラムにおいて、前記無線システムが、前記表示デバイスをＯＮさせた状態とＯＦＦさせた状態について、ノイズレベルを所定の周波数帯域で測定する工程と、前記測定した両者のノイズレベルの差分に基づいて、前記無線システムの故障を判定する工程と、をコンピュータに実行させることを特徴とする。
【発明の効果】
【００１５】
本発明によれば、他の装置を使用しないで、簡単かつ正確に無線システムの故障を検出することが可能な無線装置、その故障診断方法、および故障診断用プログラムを提供することが可能になるという効果を奏する。 
【図面の簡単な説明】
【００１６】
【図１】図１は、実施の形態にかかるノートＰＣの概略の外観を示す斜視図である。
【図２】図２は、ノートＰＣのハードウェアの概略構成を示すブロック図である。
【図３】図３は、無線システムに関連するソフトウェアおよびハードウェアの構成を示す機能構成図である。
【図４】図４は、無線モジュールが使用可能な周波数帯域の一例を示す図である。
【図５】図５は、無線システムによって測定されたノイズレベルの測定結果を表す図である。
【図６】図６は、無線管理アプリケーションが実行するアンテナ自己診断処理の一例を説明するためのフローチャートである。
【発明を実施するための形態】
【００１７】
以下、本実施の形態にかかる無線装置、その故障診断方法、および故障診断用プログラムを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。
【００１８】
（実施の形態）
図１は、実施の形態にかかるノートＰＣの概略の外観を示す斜視図である。図１に示すように、ノートＰＣ１は、本体側筐体２とディスプレイ側筐体３とから構成されている。本体側筐体２は、表面にキーボード１２、タッチパッド１３等を備え、内部に複数の電子デバイスを収容している。キーボード１２やタッチパッド１３は、ユーザが各種のコマンドやデータ等を入力するときに操作される。ディスプレイ側筐体３は、その一辺を回動中心として、一対のヒンジ４を介し、本体側筐体２に対して回動（開閉）可能に構成されている。ディスプレイ側筐体３には、ＬＣＤ（液晶表示デバイス）１１が設けられており、ＬＣＤ１１には、本体側筐体２からの指令に応じて、各種の情報が表示される。
【００１９】
また、本体側筐体２には、無線ＬＡＮ／ＷＡＮ等で使用される無線モジュール１４が内蔵されている。ディスプレイ側筐体３の上面付近、すなわち、ＬＣＤ１１の近傍には、無線アンテナ１６が内蔵されている。無線アンテナ１６は、１つの素子が送信用と受信用とを兼用している。無線モジュール１４と無線アンテナ１６は、本体側筐体２およびディスプレイ側筐体３に内蔵されるケーブル１７で接続されている。
【００２０】
ここで、例えば、ケーブル１７の断線・未接続等により、無線アンテナ１６で信号の送受信ができない場合がある。以下、ケーブル１７の断線・未接続等により、無線アンテナ１６で信号の送受信ができない場合を「無線システムの故障（異常）」と称する。
【００２１】
本実施の形態では、後述するように、無線システムの故障を検出する場合に、他の装置（無線基地局や故障診断用の信号発生器等）を使用しないで、内蔵しているＬＣＤ１１のノイズを利用して、簡単かつ正確に無線システムの故障を検出する。
【００２２】
図２は、ノートＰＣ１のハードウェアの概略構成を示すブロック図である。ＣＰＵ２１は、ノートＰＣ１の中枢機能を担う演算処理装置で、ＯＳ、ＢＩＯＳ、デバイス・ドライバ、あるいはアプリケーション・プログラムなどを実行する。ＣＰＵ２１は、ＣＰＵブリッジ２２およびＩ／Ｏブリッジ２３を中心に構成されるチップセットにさまざまなバスを経由して接続された各デバイスを制御する。
【００２３】
ＣＰＵブリッジ２２は、メイン・メモリ２４へのアクセス動作を制御するためのメモリ・コントローラ機能や、ＣＰＵ２１と他のデバイスとの間のデータ転送速度の差を吸収するためのデータ・バッファ機能などを含む。メイン・メモリ２４はＣＰＵ２１に接続され、ＣＰＵ２１が実行するプログラムの読み込み領域、処理データを書き込む作業領域として利用される書き込み可能メモリである。ビデオ・コントローラ２８はＣＰＵ２１に接続され、ビデオ・チップ（図示せず）およびＶＲＡＭ（図示せず）を実装しており、ＣＰＵ２１からの描画命令を受けて描画すべきイメージを生成してＶＲＡＭに書き込み、ＶＲＡＭから読み出したイメージを描画データとしてＬＣＤ１１に送る。
【００２４】
無線モジュール１４は、Ｉ／Ｏブリッジ２３に接続される。無線モジュール１４は、ディスプレイ側筐体３に実装された無線アンテナ１６にケーブル１７で接続されている。これによって、無線モジュール１４は、複数の周波数帯域で無線データ通信を行うことが可能である。
【００２５】
またＩ／Ｏブリッジ２３は、シリアルＡＴＡインターフェイスおよびＵＳＢインターフェイス（図示せず）としての機能も含み、シリアルＡＴＡを介してハードディスク・ドライブ（ＨＤＤ）２９、および光学ドライブ（図示せず）などと接続される。ＨＤＤ２９には、ＯＳ、デバイス・ドライバ、あるいはアプリケーション・プログラムなどが格納される。さらにＩ／Ｏブリッジ２３には、ＬＰＣバス３０を介してエンベデッド・コントローラ２５、Ｉ／Ｏコントローラ２７などが接続されている。エンベデッド・コントローラ２５は電源装置２６などを制御し、またＩ／Ｏコントローラ２７には、キーボード１２やタッチパッド１３（図１参照）などからなる入力部（図示せず）が接続される。
【００２６】
図３は、無線システムに関連するソフトウェアおよびハードウェアの構成を示す機能構成図である。ＨＤＤ）２９にインストールされたＯＳ１０２、無線管理アプリケーション１０１、無線ドライバ１０３は、ノートＰＣ１が起動されると、メイン・メモリ２４に読み込まれ、ＣＰＵ２１によって実行される。ＯＳ１０２は、例えば、Ｗｉｎｄｏｗｓ（登録商標）  ＸＰ、ｖｉｓｔａ、７等を使用することができる。
【００２７】
無線管理アプリケーション１０１は、ＯＳ１０２上で実行されるアプリケーション・プログラムであり、メイン・メモリ２４に常駐して、無線システム４０の自己診断処理を実行する。なお、無線管理アプリケーション１０１と各デバイス・ドライバの間のデータ又はコマンドの送受信には、ＯＳ１０２が介在する。
【００２８】
無線ドライバ１０３は、無線モジュール１４に対応したデバイス・ドライバである。無線管理アプリケーション１０１は、無線ドライバ１０３を経由して無線モジュール１４を制御することにより無線ＬＡＮ／ＷＡＮ等への接続、切断、および再接続などを行うことができる。また、無線管理アプリケーション１０１は、無線ドライバ１０３を通じて、無線モジュール１４に現在発信している信号や受信している信号の周波数と受信強度（電力強度）を照会して取得することもできる。なお、無線モジュール１４、無線アンテナ１６、およびケーブル１７を合わせて無線システム４０という。無線モジュール１４および無線アンテナ１６は、ノートＰＣ１に実用の無線システムとして搭載されているものであり、無線システム４０の故障診断用に搭載するものではない。
【００２９】
図４は、無線モジュール１４が使用可能な周波数帯域の一例を示す図である。無線モジュール１４は、複数の周波数帯域（バンドＩ、ＩＩ、ＶＩＩＩ、Ｖ）が使用可能となっており、例えば、バンドＩ（２１００ＭＨｚ帯）、バンドＩＩ（１９００ＭＨｚ帯）、バンドＶＩＩＩ（９００ＭＨｚ帯）、バンドＶ（８５０ＭＨｚ帯）の周波数帯域を使用可能となっている。なお、これらの周波数帯域は、本実施の形態を実施する上での一例である。
【００３０】
無線ＬＡＮ／ＷＡＮは、割り当てられた周波数帯域の中に複数のチャンネルが設定されており、各々のチャンネルには中心周波数と帯域幅が規定されている。無線システム４０が放射する信号の周波数は、原則として各々の周波数帯域の中に設定された各チャンネルの周波数に対応する。また、無線管理アプリケーション１０１は、無線モジュール１４に周波数帯域およびその周波数帯域域に含まれる周波数を指定して、その周波数の受信強度を測定させて取得することができる。
【００３１】
無線管理アプリケーション１０１は、無線システム４０の自己診断処理を実行する。具体的には、無線管理アプリケーション１０１は、無線システム４０がネットワークとの間で通信を行っていない状態で、無線システム４０に、ＬＣＤ１１をＯＮさせた状態とＯＦＦさせた状態について、ノイズレベル（受信強度）を所定の周波数帯域で測定させ、測定した両者のノイズレベルの差分に基づいて、無線システム４０の故障を判定する。
【００３２】
図５は、無線システム４０によって測定されたノイズレベルの測定結果を表す図である。ノイズレベルの測定は、無線システム４０がネットワークとの間で通信を行っていない状態で実行される。同図において、横軸は周波数、縦軸は受信したノイズレベルを示しており、ＬＣＤ１１がＯＮの場合とＯＦＦの場合の比較結果の一例を示している。
【００３３】
無線システム４０が故障していない場合は、図５に示すように、無線システム４０で検出されるノイズレベルは、ＬＣＤ１１がＯＦＦの場合は小さいが、ＬＣＤ１１をＯＮとするとＬＣＤ１１から放射される電磁ノイズのため高くなる。無線システム４０が故障している場合は、ＬＣＤ１１がＯＮとＯＦＦの場合で、その差が小さくなる。そこで、本実施の形態では、上述の無線システム４０の自己診断処理では、ノートＰＣ１が起動している状態で、かつ、無線モジュール１４がネットワークと通信を行っていない状態で、ＬＣＤ１１がＯＮの場合とＯＦＦの場合について、無線アンテナ１６で受信した信号（ノイズ）を所定周波数帯域の所定周波数でスキャンして、ノイズレベルを測定する。ＬＣＤ１１がＯＮしている場合のノイズレベルＮｉONとＯＦＦしている場合のノイズレベルＮｉOFFの差分Ｓ（＝ＮｉON−ＮｉOFF）が所定の閾値以上である場合には、無線システム４０が正常と判断し、差分Ｓが所定の閾値以上でない場合は、無線システム４０の異常と判断する。このように、ノイズレベルの絶対値ではなく、相対値（差分）を使用しているので、故障を正確に判定することができる。
【００３４】
なお、ノイズレベルを測定するためにＬＣＤ１１をＯＮさせる場合は、ノイズを発生し易い表示を行うことが望ましく、例えば、縦の白黒ストライプの表示または画面輝度を最大にした表示とすることができる。これにより、ＬＣＤ１１のＯＮ時のノイズを大きくすることにより、ＯＦＦ時とのノイズレベルの差分を大きくすることができる。
【００３５】
無線システム４０の自己診断処理は、以下の２つの場面で実行することが考えられる。まず、ノートＰＣ１の製造工場の製品検査で実行することが考えられる。また、ユーザがノートＰＣ１を使用している場合に、無線システム４０がネットワークとの間で通信を行っていない状態であれば、任意のタイミングで診断を開始することができる。
【００３６】
図６は、無線管理アプリケーション１０１が実行する無線システム４０の自己診断処理の概略の一例を説明するためのフローチャートである。
【００３７】
図６において、無線管理アプリケーション１０１は、第１の周波数帯域の第１の周波数でＬＣＤ１１をＯＮとした場合のノイズレベルＮｉONとＯＦＦとした場合のノイズレベルＮｉOFFを測定する（ステップＳ１）。例えば、図４において、第１の周波数帯域はバンドＩ（２１００ＭＨｚ帯）で、第１の周波数は２１１０ＭＨｚである。具体的には、無線管理アプリケーション１０１は、ＯＳ１０２にＬＣＤ１１のＯＮを指示する。これにより、ＯＳ１０２は、ＬＣＤ１１がＯＦＦとなっている場合はＯＮさせる。この後、無線管理アプリケーション１０１は、無線モジュール１４に、第１の周波数帯域の第１の周波数でノイズレベルを測定させる。つぎに、無線管理アプリケーション１０１は、ＯＳ１０２にＬＣＤ１１のＯＦＦを指示する。これにより、ＯＳ１０２は、ＬＣＤ１１をＯＦＦさせる。この後、無線管理アプリケーション１０１は、無線モジュール１４に、第１の周波数帯域の第１の周波数でノイズレベルを測定させる。
【００３８】
無線管理アプリケーション１０１は、ＬＣＤ１１がＯＮしている場合のノイズレベルＮｉONと、ＬＣＤ１１がＯＦＦしている場合のノイズレベルＮｉOFFの差分Ｓ（＝ＮｉON−ＮｉOFF）を算出し、差分Ｓが閾値以上であるか否かを判断する（ステップＳ２）。差分Ｓが閾値以上である場合には（ステップＳ２の「Ｙｅｓ」）、無線システム４０は正常であると判断する（ステップＳ８）。
【００３９】
差分Ｓが閾値以上でない場合は、無線管理アプリケーション１０１は、第１の周波数帯域の異なる周波数でＬＣＤ１１をＯＮとした場合のノイズレベルＮｉONとＯＦＦとした場合のノイズレベルＮｉOFFを測定する（ステップＳ３）。
【００４０】
無線管理アプリケーション１０１は、ステップＳ３で測定した、ＬＣＤ１１がＯＮしている場合のノイズレベルＮｉONとＬＣＤ１１がＯＦＦしている場合のノイズレベルＮｉOFFの差分Ｓ（＝ＮｉON−ＮｉOFF）を算出し、差分Ｓが閾値以上であるか否かを判断する（ステップＳ４）。差分Ｓが閾値以上である場合には（ステップＳ４の「Ｙｅｓ」）、無線システム４０は正常であると判断する（ステップＳ８）。例えば、図４において、異なる周波数２１４０ＭＨｚについて測定し、差分Ｓが閾値以上とならない場合は、次に、異なる周波数２１７０ＭＨｚで測定する。これは、ＬＣＤ１１によりノイズが大きくなる周波数が異なり、また、ＬＣＤ１１以外のノイズがある場合もあり、差分Ｓが小さくなる場合があるので、複数の周波数で測定してそれを回避するためである。
【００４１】
差分Ｓが閾値以上でない場合は（ステップＳ４の「Ｎｏ」）、無線管理アプリケーション１０１は、第１の周波数帯域と異なる周波数帯域でＬＣＤ１１をＯＮとした場合のノイズレベルＮｉONとＯＦＦとした場合のノイズレベルＮｉOFFを測定する（ステップＳ５）。無線管理アプリケーション１０１は、ステップＳ５で測定した、ＬＣＤ１１がＯＮしている場合のノイズレベルＮｉONとＬＣＤ１１がＯＦＦしている場合のノイズレベルＮｉOFFの差分Ｓ（＝ＮｉON−ＮｉOFF）を算出し、差分Ｓが閾値以上であるか否かを判断する（ステップＳ６）。差分Ｓが閾値以上である場合には（ステップＳ６の「Ｙｅｓ」）、無線システム４０は正常であると判断する（ステップＳ８）。例えば、図４において、異なる周波数帯域１９００ＭＨｚの周波数１９３０ＭＨｚ、１９６０ＭＨｚ、１９９０ＭＨｚについて測定し、差分Ｓが閾値以上とならない場合は、さらに異なる周波数帯域９００ＭＨｚの周波数９２５ＭＨｚ、９４５ＭＨｚ、９６０ＭＨｚについて測定する。これは、上述したように、ＬＣＤ１１によりノイズが大きくなる周波数が異なり、また、ＬＣＤ１１以外のノイズがある場合もあり、差分Ｓが小さくなる場合があるので、複数の周波数帯域で測定してそれを回避するためである。
【００４２】
差分Ｓが閾値以上でない場合は（ステップＳ６の「Ｎｏ」）、無線システム４０の故障と判断する（ステップＳ８）。なお、本発明の処理は、上記フローチャートの処理に限定されるものではなく、順番の入れ替えや一部の処理を削除してもよく、例えば、ステップＳ３，Ｓ４とステップＳ５，Ｓ６との順番を入れ替えてもよく、また、ステップＳ３，Ｓ４またはステップＳ５，Ｓ６を削除することにしてもよい。
【００４３】
以上説明したように、本実施の形態によれば、ＬＣＤ１１の近傍に配置されるアンテナ１６と、アンテナ１６に接続された無線モジュール１４とを含み、ネットワークとの無線通信が可能な無線システム４０と、無線システム４０に、ＬＣＤ１１をＯＮさせた状態とＯＦＦさせた状態について、ノイズレベルを第１の周波数帯域で測定させ、測定した両者のノイズレベルの差分が閾値以上の場合に、無線システム４０が正常と判定し、測定した両者のノイズレベルの差分が閾値未満の場合に、無線システム４０が異常と判定する無線管理アプリケーション１０１とを備えているので、他の装置を使用しないで、簡単かつ正確に無線通信システムの故障を検出することが可能となる。
【００４４】
また、ＬＣＤ１１をＯＮさせた状態ではノイズを発生し易い表示を行うこととしたので、表示デバイス１１のＯＮ時のノイズを大きくすることにより、ＯＦＦ時とのノイズレベルの差分を大きくすることができ、検出精度を向上させることが可能となる。
【００４５】
また、無線管理アプリケーション１０１は、測定した両者のノイズレベルの差分が閾値未満の場合には、さらに、無線システム４０に、第１の周波数帯域の異なる周波数および／または、第１の周波数帯域と異なる周波数帯域で、ＬＣＤ１１をＯＮさせた状態とＯＦＦさせた状態についてノイズレベルを測定させ、当該測定した両者のノイズレベルの差分が閾値以上の場合に、無線システム４０が正常と判定し、当該測定した両者のノイズレベルの差分が閾値未満の場合に、無線システム４０が異常と判定することとしたので、表示デバイスによりノイズが大きくなる周波数が異なり、また、表示デバイス以外のノイズがある場合もあり、差分が小さくなる場合があるので、複数の周波数または複数の帯域で測定することにより差分を大きくなるようにすることができ、検出精度を向上させることが可能となる。
【００４６】
なお、上記実施の形態では、無線アンテナ１６はディスプレイ側筐体３に外部に露出しないように内蔵されているタイプのものとしたが、本発明はこれに限定されるものではなく、ポップ・アンテナ等にも適用でき、すなわち、ＬＣＤ１１の近傍に配置されてＬＣＤ１１のノイズを受信可能な位置に配置される全てのアンテナに適用可能である。
【００４７】
なお、本実施の形態では、表示デバイスとして、ＬＣＤ１１を使用することにしているが、本発明はこれに限られるものではなく、有機ＥＬディスプレイやＣＲＴ等の他のディスプレイを使用することにしてもよく、ノイズを放射する全ての表示デバイスに適用可能である。また、ＬＣＤ１１のＯＮ時とＯＦＦ時のノイズレベルの差分が最も大きくなる周波数帯およびその周波数を予め測定しておき、無線システム４０の自己診断処理では、かかる周波数帯および周波数についてノイズレベルの差分を測定することにしてもよい。これにより、一度の測定で無線システム４０の故障を判定することが可能となる。
【００４８】
なお、上記実施の形態では、本発明をノートＰＣに適用した場合について説明したが、本発明はこれに限られるものではなく、ディスクトップＰＣ、ＰＤＡ、携帯電話等の他の情報処理装置にも適用可能である。
【産業上の利用可能性】
【００４９】
本発明の無線装置、その故障診断方法、および故障診断用プログラムは、アンテナと無線モジュールを備える各種無線装置において利用可能である。
【符号の説明】
【００５０】
１  ノートＰＣ
２  本体側筐体
３  ディスプレイ側筐体
４  ヒンジ
１１  ＬＣＤ
１２  キーボード
１３  タッチパッド
１４  無線モジュール
１６  無線アンテナ
１７  ケーブル
２１  ＣＰＵ
２２  ＣＰＵブリッジ
２３  Ｉ／Ｏブリッジ
２４  メイン・メモリ
２５  エンベデッド・コントローラ
２６  電源装置
２７  Ｉ／Ｏコントローラ
２８  ビデオ・コントローラ
２９  ＨＤＤ
４０  無線システム
１０１  無線管理アプリケーション
１０２  ＯＳ
１０３  無線ドライバ
【図１】
0005572044.tif 000002
【図２】
0005572044.tif 000003
【図３】
0005572044.tif 000004
【図４】
0005572044.tif 000005
【図５】
0005572044.tif 000006
【図６】
0005572044.tif 000007